(57)【要約】【課題】投光位置の微調整をよりより一層微細にかつスムーズに行うことができるレーザー墨出し器およびその回転微調整機構を得る。【解決手段】固定ベース１１０と、レーザー墨出し器本体９０が取り付けられていて固定ベースに対して回転可能な回転ベース１２０と、固定ベースに対する回転ベースの回転位置を調整するための調整部材と、を備え、調整部材はウォーム１４２を一体に有し、固定ベースには軸１１６が固着されていてこの軸を中心にして回転可能にウォームホイル１５０が支持され、ウォームホイルには半径方向の溝１５１が形成され、回転ベースに設けられているピン１２２がウォームホイルの溝１５１に嵌まっている。回転ベース１２０にレーザー墨出し器本体９０を取り付ける。【選択図】図１
2008309724.tif 000002
【特許請求の範囲】
【請求項１】
固定ベースと、レーザー墨出し器本体が取り付けられていて固定ベースに対して回転可能な回転ベースと、固定ベースに対する回転ベースの回転位置を調整するための調整部材と、を備えているレーザー墨出し器の回転微調整機構であって、
調整部材はウォームを一体に有し、
上記固定ベースには軸が固着されていてこの軸を中心にして回転可能にウォームホイルが支持され、
上記ウォームホイルには半径方向の溝が形成され、
上記回転ベースに設けられているピンが上記ウォームホイルの溝に嵌まっているレーザー墨出し器の回転微調整機構。
【請求項２】
回転ベースは、固定ベースに対して管軸とこの管軸の外周面に嵌る軸孔の関係によって回転可能に嵌められている請求項１記載のレーザー墨出し器の回転微調整機構。
【請求項３】
回転ベースは、固定ベースとの間に介在する付勢部材によって一方向に回転付勢されている請求項１記載のレーザー墨出し器の回転微調整機構。
【請求項４】
付勢部材は、固定ベースと回転ベースをつなぐ引っ張りばねである請求項３記載のレーザー墨出し器の回転微調整機構。
【請求項５】
回転ベースは、その回転中心を中心として固定ベースに形成された同心円の溝内に嵌められている請求項１記載のレーザー墨出し器の回転微調整機構。
【請求項６】
調整部材は、固定ベースの外周壁を貫き、固定ベースの溝をまたいで固定ベースの半径方向に取り付けられている請求項５記載のレーザー墨出し器の回転微調整機構。
【請求項７】
回転ベースの回転中心は、レーザー墨出し器の地墨と一致している請求項１記載のレーザー墨出し器の回転微調整機構。
【請求項８】
固定ベースと回転ベースの一方には突出体が設けられ、上記固定ベースと回転ベースの他方には上記突出体を回転ベースの回転方向に挟んで回転範囲規制部材が設けられ、上記突出体と上記回転範囲規制部材との間に生じている余裕空間内で回転ベースの回転が許容される請求項１記載のレーザー墨出し器の回転微調整機構。
【請求項９】
固定ベースと、固定ベースに対して回転可能な回転ベースと、固定ベースに対する回転ベースの回転位置を調整するための調整部材と、を備えた回転微調整機構を有し、上記回転ベースにレーザー墨出し器本体が取り付けられているレーザー墨出し器であって、上記回転微調整機構は、請求項１ないし８のいずれかに記載されている回転微調整機構であるレーザー墨出し器。
【発明の詳細な説明】
【技術分野】
【０００１】
本発明は、建築現場などにおいて、墨出し用のレーザー光を、壁、天井、床などの照射対象面に投光するレーザー墨出し器、およびレーザー墨出し器においてレーザー光の投光位置を微調整することができる回転微調整機構に関するものである。
【背景技術】
【０００２】
レーザー墨出し器はレーザー光源として一般に半導体レーザーが用いられている。半導体レーザーから出射されるレーザー光は拡散光であるため、これをコリメータレンズによってほぼ平行光束とし、これを円柱状のロッドレンズに透過させることにより一方向にのみ拡散させ、これを壁、天井、床などの照射対象面に投光して、レーザー光による鉛直線あるいは水平線を引くようにしたのがレーザー墨出し器である。
【０００３】
レーザー墨出し器を建築現場などで使用する場合、レーザー光を目標位置に高い精度で照射する必要がある。特に、垂直方向のレーザーラインの投光位置が目標位置からずれている場合は、投光位置を変えてずれを修整する必要がある。レーザーラインの投光位置を変えるには、その都度レーザー墨出し器の向きを変える必要がある。
【０００４】
レーザー墨出し器の向きを変える場合、レーザー墨出し器の設置基準点、すなわち、地墨点が動くことなく、地墨点を回転中心としてレーザー墨出し器本体が回転するものであることが要求される。これに加えて、レーザー墨出し器から例えば１０ｍあるいはそれ以上離れた照射対象面において垂直ライン光の照射位置を調整する必要がある場合、レーザー墨出し器をごく僅かに回転角度調整しただけで、照射対象面においては垂直ライン光の照射位置が大きくずれることになり、照射位置を目標位置に正確に合わせるためには、作業者に極めて厄介な作業を強いることになる。
【０００５】
そこで、レーザー墨出し器の回転角度を微調整するための機構が各種提案されている。図３に示す例はその一つである。図３において、符号１０は固定ベースを示している。この固定ベース１０は平面方向から見て略円形をしていて、周方向の等間隔位置で半径方向外方に突出した三つの脚取付け部１１を有している。各脚取付け部１１には脚が取り付けられて三脚となっていて、三脚を設置面に載せることによって固定ベース１０を略水平方向の姿勢で設置することができるようになっている。固定ベース１０は円形の中心孔８０を有し、中心孔８０の周囲に、かつ中心孔８０と同心円をなして、円形の管軸１１４を有している。固定ベース１０の上には回転ベース２０が回転可能に載せられている。回転ベース２０は平面形状がリング状の部材で、その円形の内周面２４が固定ベース１０の管軸１１４の外周面に、かつ、この管軸１１４の外周面をガイドとして回転可能に嵌められている。したがって、回転ベース２０は、固定ベース１０の中心孔８０の中心を通る軸線を中心として回転することができる。固定ベース１０の中心孔８０の中心を通る軸線上に、図示されないレーザー墨出し器本体から下方の床面に向かって投射される地墨点が存在するように調整されている。
【０００６】
回転ベース２０の外周面にはアーム２５が固着され、アーム２５は回転ベース２０の外周面から半径方向外方に向かって伸び出ている。固定ベース１０の外周からは、アーム２５にほぼ対応する位置において、かつ、アーム２５の下方において一対の突起１６，１７が突出している。一方の突起１６にはナット１９が固着され、ナット１９には微調整つまみ６０のねじ部が、回転ベース２０の回転面と平行な方向に、従って略水平方向の姿勢でねじ込まれている。微調整つまみ６０のねじ部は、上記アーム２５が伸び出る方向に対して直交する方向の姿勢をとることによって、微調整つまみ６０のねじ部の先端がアーム２５に当たることができるように配置されている。固定ベース１０のもう一方の突起１７には、上記微調整つまみ６０と対向する位置に、かつ、微調整つまみ６０の中心軸線の延長線に略沿うように有底の穴１８が水平方向に形成されている。穴１８には圧縮コイルばね６３が落とし込まれ、さらに円柱状の押圧部材６２が挿入されている。押圧部材６２は圧縮コイルばね６３の蓄勢力で穴１８から外方に向かって押し出される向きに付勢され、この付勢力でアーム２５を押している。アーム２５は微調整つまみ６０の先端に当たることによって回転位置が規制されている。回転ベース２０の上には、図示されないレーザー墨出し器本体が一体に組み込まれている。
【０００７】
照射対象面において、例えば垂直ライン光の照射位置を微調整する必要がある場合は、微調整つまみ６０を正逆回転させる。微調整つまみ６０をそのねじ部がナット１９に対してより深くねじ込まれる向きに回転させると、アーム２５が押圧部材６２を圧縮コイルばね６３による付勢力に抗して圧縮コイルばね６３をさらに圧縮しながら押し、回転ベース２０が図３において時計方向に回転する。これと一体にレーザー墨出し器本体も時計方向に回転する。微調整つまみ６０を逆向きに回転させると、そのねじ部がナット１９から後退する向きに移動し、アーム２５が押圧部材６２を介して圧縮コイルばね６３による付勢力で押し戻され、回転ベース２０が図３において反時計方向に回転する。これと一体にレーザー墨出し器本体も反時計方向に回転する。前述のとおり、回転ベース２０の回転中心軸線は地墨点を通っているので、回転ベース２０の回転によって地墨点がずれることはない。
【０００８】
図４は、従来のレーザー墨出し器における回転角度微調整機構の別の例を示す。図３に示す従来例と実質的に同じ構成部分には共通の符号を付している。すなわち、符号１０は固定ベース、１１は脚取付け部、１４は突堤、２０は回転ベース、２４は回転ベースの内周面、８０は固定ベースの中心孔をそれぞれ示している。固定ベース１０には、その外周壁を半径方向に貫通して微調整つまみ７０の軸７２が回転可能に嵌められ、軸７２の先端部は管軸１１４に回転可能に嵌められている。軸７２はねじ部を有し、このねじ部には、微調整カム７１がねじ込まれ、微調整カム７１は図示されない適宜の手段で回り止めされている。回転ベース２０は上面側の一部が中心角度で略９０度の範囲で厚さ方向に切除されて凹陥部２１が形成されている。微調整つまみ７０の軸７２および微調整カム７１は上記凹陥部２１に位置している。固定ベース１０にはピン１２が固定され、回転ベース２０には上記ピン１２から周方向にずれた位置にピン２７が固着され、これらのピン１２，２７間に引張りコイルばね７５が掛けられている。引張りコイルばね７５の引張り力によって、回転ベース２０は図４において時計方向に回転付勢されている。
【０００９】
回転ベース２０の凹陥部２１を区切っている片方の壁面は、上記回転付勢力によって微調整カム７１の周面に当接し、上記回転付勢力による回転ベース２０の回転を規制している。上記凹陥部２１の片方の壁面はカムフォーカスロワとして機能し、微調整つまみ７０を回転操作すると、微調整つまみ７０のねじ部に案内されて微調整カム７１が微調整つまみ７０の軸線方向に移動し、微調整カム７１と上記凹陥部２１の片方の壁面との当接位置が移動して、回転ベース２０が固定ベース１０の管軸１１４の外周面をガイドとして時計方向または反時計方向に回転するようになっている。回転ベース２０の上にはレーザー墨出し器本体が固着されているので、回転ベースとともにレーザー墨出し器本体の回転位置を微調整することができる。
【００１０】
図３、図４に示す従来例は、いずれも微調整摘みを回転操作することによってレーザー墨出し器と一体の回転ベースを僅かずつ回転させてレーザー光の投光位置を微調整することを目的としている。しかしながら、図３に示す従来例は、微調整摘み６０、これを回転可能に保持する突起１６およびナット１９、アーム２５、突起１７、押圧部材６２などからなる微調整機構が墨出し器本体の外側に突出するため、墨出し器全体が大型化する難点がある。加えて、墨出し器本体内部と微調整機構の間にアーム２５が介在し、アーム２５が円周方向に移動する構造になるため、防水構造にすることは極めて困難である。
これに対して図４に示す従来例は、固定ベース１０から外側に突出する部材は微調整摘み７０のみであり、微調整摘み７０は固定ベース１０に対して移動することなくその場で回転できればよいので、墨出し器全体のコンパクト化および防水対策が容易であるという利点がある。しかしながら、ねじをガイドとして微調整カム７１が移動することによって回転ベース２０が回転するようになっているため、ねじと微調整カム７１相互間のがたつきにより回転ベース２０およびこれと一体の墨出し器本体の回転がスムーズでなく、レーザー光の投光位置がギクシャクしながら変動して安定せず、投光位置調整がやりにくいという難点がある。また、いずれの従来例にせよ、例えば、墨出し器から１０ｍ程度以上離れた壁面で投光位置を調整しようとすると、微調整摘みを僅かに回転させただけで投光位置が大きく変化し、微妙な投光位置調整が難しいという難点もある。なぜなら、微調整摘みの回転角度に対して回転ベースの回転角度を微小にするという工夫がなされていないからである。
【００１１】
レーザー墨出し器における投光位置調整機構の公知例として、固定台と回転台と回転位置調節機構を有し、回転位置調節機構は、操作棒と、操作棒を操作することにより作動する歯車機構を有し、この歯車機構を介して回転台を回転させるようにしたものが提案されている（例えば、特許文献１参照）。歯車機構の減速比を大きくすれば、操作棒の操作量に対する回転台の回転角度を微小化できるものと考えられる。
【００１２】
レーザー墨出し器における投光位置調整機構の別の公知例として、回転調整盤と移動体をバンドで連結し、回転調整盤に設けた調整軸の回転によりねじを直線移動させるように構成し、上記ねじの直線運動を上記バンドで回転調整盤に伝達して回転調整盤を回転させるようにした調整機構も提案されている（例えば、特許文献２参照）。
【００１３】
しかしながら、特許文献１、特許文献２記載の発明はいずれも、歯車機構および調整軸とねじとの嵌り合い部分にがたつきがあり、がたつきがあることによって、調整時の回転台の動きにスムーズさを欠き、投光位置調整がやりにくいという難点がある。また、特許文献１、特許文献２記載の発明はいずれも、微調整摘みの回転角度に対して回転ベースの回転角度を微小にするという工夫がなされていないか、または、工夫されていたとしても不十分であり、微妙な投光位置調整が難しいという難点がある。
【００１４】
【特許文献１】特開２０００−２３４９３１号公報
【特許文献２】特開２００４−３０９２１１号公報
【００１５】
そこで本発明者は、固定ベースと、レーザー墨出し器本体が取り付けられていて固定ベースに対して回転可能な回転ベースと、固定ベースに対する回転ベースの回転位置を調整するための調整部材と、を備えているレーザー墨出し器の回転微調整機構であって、調整部材はウォームを一体に有し、回転ベースには軸が固着されていてこの軸を中心にして回転可能にウォームホイルが支持されるとともにウォームホイルの中心からずれた位置に上記軸があり、ウォームにウォームホイルが押し付けられる向きに回転ベースを付勢する付勢部材が設けられていることを主要な特徴とする回転微調整機構について先に特許出願した。特願２００６−４８３９２に係る発明がそれである。
【００１６】
上記出願に係る発明によれば、調整部材のウォームとウォームホイルの組み合わせは減速比が大きい。これに加えて、ウォームホイルの回転の中心となる軸がウォームホイルの中心からずれた位置にありかつ上記軸は回転ベースに設けられているため、ウォームホイルの回転に伴って上記軸とウォームとの距離が僅かずつ変化する。このように、調整部材の回転の結果として回転ベースが微少量ずつ回転するため、例えば、墨出し器の位置から１０ｍ以上離れた壁面における投光位置の微調整であっても、投光位置が微小量ずつ移動するので、容易に行うことができる。回転位置微調整機構は、手動調整するために、調整部材の一部を固定ベースから突出させるにしても、摘みの部分を突出させるだけでよいから、墨出し器をコンパクト化することができる。また、上記調整部材は回転ベースに対してその場で回転可能に設ければよく、中心軸線方向に移動させる必要はないから、防水構造にすることが容易であるという利点もある。
【発明の開示】
【発明が解決しようとする課題】
【００１７】
本発明は、上記出願にかかる発明をさらに改良し、投光位置の微調整をよりより一層微細にかつスムーズに行うことができるレーザー墨出し器およびその回転微調整機構を提供することを目的とする。
【課題を解決するための手段】
【００１８】
本発明に係るレーザー墨出し器の回転微調整機構は、固定ベースと、レーザー墨出し器本体が取り付けられていて固定ベースに対して回転可能な回転ベースと、固定ベースに対する回転ベースの回転位置を調整するための調整部材と、を備えていて、調整部材はウォームを一体に有し、固定ベースには軸が固着されていてこの軸を中心にして回転可能にウォームホイルが支持され、ウォームホイルには半径方向の溝が形成され、回転ベースに設けられているピンがウォームホイルの溝に嵌まっていることを最も主要な特徴とする。
本発明に係るレーザー墨出し器は、上記のように構成された回転微調整機構を備え、回転ベースにレーザー墨出し器本体が取り付けられていることを特徴とする。
【発明の効果】
【００１９】
調整部材のウォームとウォームホイルの組み合わせは減速比が大きいことに加えて、ウォームホイルの回転がそのまま回転ベースの回転となるのではなく、ウォームホイルに形成されている半径方向の溝に回転ベースのピンが嵌まっていて、ウォームホイルの回転角度に対して回転ベースの回転角度がさらに小さくなり、調整部材の操作量に対して回転ベースは極微少量ずつ円滑に回転する。そのため、例えば、墨出し器の位置から１０ｍ以上離れた壁面においても、投光位置が微小量ずつ移動し、投光位置の微調整が容易である。
【発明を実施するための最良の形態】
【００２０】
以下、本発明に係るレーザー墨出し器およびその回転微調整機構の実施例について図面を参照しながら説明する。
図１、図２において、符号１１０は固定ベースを示しており、この固定ベース１１０は平面方向から見て略円形をしていて周方向の等間隔位置で半径方向外方に突出した脚取付け部１１１を３箇所に有している。各脚取付け部１１１には脚１３５が取り付けられて三脚となっていて、三脚の先端を設置面に載せることによって固定ベース１１０を略水平方向の姿勢で設置することができるようになっている。固定ベース１１０は円形の中心孔１８０を有し、中心孔１８０の周囲に、かつ中心孔１８０と同心円をなして円形の管軸１１４を一体に有している。
【００２１】
固定ベース１１０には、上記管軸１１４と外周壁との間に、固定ベース１１０の中心を中心とする同心円状の溝１１５が形成されている。固定ベース１１０の上には溝１１５内において回転ベース１２０が回転可能に載せられている。回転ベース１２０は適宜の脱落防止部材によって脱落防止が図られている。回転ベース１２０は平面形状がリング状の部材で、その円形の軸孔１２４が固定ベース１１０の管軸１１４の外周面に、かつ、この管軸１１４の外周面をガイドとして回転可能に嵌められている。したがって、回転ベース１２０は、固定ベース１１０の中心孔１８０の中心を通る軸線を中心として回転することができる。固定ベース１１０の中心孔１８０の中心を通る軸線上に、レーザー墨出し器本体９０から下方の床面に向かって投射される地墨点が存在するように調整されている。
【００２２】
回転ベース１２０は上面側の一部が中心角度で略９０度の範囲で厚さ方向に切除されて凹陥部１２６が形成されている。微調整つまみ１４０の上記ウォーム１４２は上記凹陥部１２６に位置している。回転ベース１２０の外周縁部には、上記凹陥部１２６を除くほぼ２７０度の範囲に、円弧状の外壁１２１が上方に突出して一体に形成されている。回転ベース１２０には、上記凹陥部１２６を画する周方向一方の壁面に沿い、かつ、半径方向外側に突出させてアーム１２７が固着されている。固定ベース１１０の外周壁１１２の内周面には、上記アーム１２７から周方向に適宜の距離をおいた位置に、支持板１１８が固定ベース１１０の半径方向内方に向かい突出させて固定され、支持板１１８にはこの支持板１１８を厚さ方向に貫いて突出体１１９が固着されている。突出体１１９の実態は円柱状のピンであって、突出体１１９と上記アーム１２７の先端部との間には付勢部材としての引っ張りコイルばね１３０が掛けられ、ばね１３０の付勢力によって回転ベース１２０が固定ベース１１０に対し周方向の一方向（図１に示す例では時計方向）に回転付勢されている。
【００２３】
固定ベース１１０には、その外周壁１１２を半径方向に貫通して微調整つまみ１４０の軸１４１が回転可能に嵌められ、軸１４１の先端部は管軸１１４の外周部に回転可能に嵌められている。軸１４１の外周面にはウォーム１４２が形成されている。軸１４１は回転ベース１２０の上記凹陥部１２６に、かつ、回転ベース１２０から離間して配置されている。微調整つまみ１４０とその軸１４１とウォーム１４２で構成されている部材を、本明細書では「調整部材」という。
【００２４】
固定ベース１１０の内底面には、上記調整部材を構成する軸１４１の近傍に、かつ、回転ベース１２０の外周よりも外側に軸１１６が設けられている。この軸１１６には、この軸１１６を中心として回転可能にウォームホイル１５０が取り付けられている。ウォームホイル１５０は、固定ベース１１０の内底面と平行な面内で回転可能であると共に、一部が回転ベース１２０の凹陥部１２６に進出していて、回転ベース１２０の一部と軸方向に重なり合っている。ウォームホイル１５０の回転ベース１２０と重なり合う部分にはウォームホイル１５０の外周から半径方向内方に向かって一定幅の溝１５１が形成され、この溝１５１には回転ベース１２０の上記凹陥部１２６の形成部に固着されたピン１２２が嵌まっている。上記溝１５１の幅とピン１２２の外径は等しくなっていて、溝１５１に沿ってピン１２２が移動可能となっている。ウォームホイル１５０の外周面に形成されている歯とウォーム１４２のねじ状の歯がかみ合っている。
【００２５】
微調整つまみ１４０の回転操作によってウォーム１４２が回転すると、その回転力が減速されてウォームホイル１５０に伝達されてウォームホイル１５０が僅かずつ回転する。ウォームホイル１５０の回転によりその溝１５１が回転し、これに伴い回転ベース１２０のピン１２２が押され、回転ベース１２０が前記管軸１１４の外周面をガイドとしてさらに僅かずつ回転する。いま、ウォームホイル１５０の回転中心からピン１２２の中心までの寸法をＳ２、回転ベース１２０の回転中心からピン１２２の中心までの寸法をＳ１とすると、Ｓ１はＳ２の数倍になっている。したがって、ピン１２２の回転角に対して回転ベース１２０の回転角はＳ１／Ｓ２以下となり、ここでも減速されて回転ベースはより微小角度ずつ回転する。
【００２６】
前記支持板１１８からその下面側に突出している突出体１１９を回転ベース１２０の回転方向に挟む回転範囲規制部材１６０が、回転ベース１２０の外壁１２１の外周面に固着されている。回転範囲規制部材１６０はＬ字形の部材で、垂直片が回転ベース１２０の外壁１２１に固着され、水平片がフォーク状に形成されて上記突出体１１９を回転ベース１２０の回転方向に挟んでいる。ただし、フォーク状に形成された上記水平片の上記フォークの相対向する面相互の間隔をＷとすると、この間隔Ｗは突出体１１９の直径よりも大きくなっている。したがって、上記フォークの間隔と突出体１１９の外周面との間には空間的な余裕ないしは隙間があり、この空間的な余裕ないしは隙間の範囲内で、回転ベース１２０は固定ベース１１０に対し回転することが可能となっている。
【００２７】
図示の実施例では、突出体１１９を固定ベース１１０側に、回転範囲規制部材１６０を回転ベース１２０側に設けているが、突出体１１９を回転ベース１２０側に、回転範囲規制部材１６０を固定ベース１１０側に設けてもよい。この場合、引っ張りコイルばね１３０は固定ベース１１０と回転ベース１２０の間に掛ける必要がある。
【００２８】
以上、レーザー墨出し器に適用する回転微調整機構の実施例について説明した。この回転微調整機構を備えたレーザー墨出し器を構成するには、回転ベース１２０と共にレーザー墨出し器本体が回転するように構成する必要がある。図２はかかる構成例を概略的に示している。図２において、回転ベース１２０にはレーザー墨出し器本体９０を回転微調整機構に結合するための仲介部材９１が載せられて結合されている。仲介部材９１はリング状の部材で中心孔の周囲に下向きの円筒部９２が一体に形成されていて、円筒部９２の外周面が回転ベース１２０の外壁１２１の内周面側に嵌められて一体に結合されている。仲介部材９１の外径は固定ベース１１０の外径とほぼ同じで、仲介部材９１の上面にレーザー墨出し器本体９０の底板９３が載せられている。底板９３は仲介部材９１に対し、全周にわたり回転可能に適宜の連結手段で連結されている。したがって、レーザー墨出し器を設置するときは、三脚１３５によって所定の設置位置に設置し、仲介部材９１に対して墨出し器本体９０を任意の位置まで回転させ、回転位置を大まかに決める。次に、微調整操作摘み１４０を回転させ、固定ベース１１０に対し回転ベース１２０を前述のように微小量ずつ回転させる。回転ベース１２０とともにレーザー墨出し器本体９０も微小量ずつ回転するため、投光位置の調整を精度よくスムーズに行うことができる。
【００２９】
以上説明した本発明に係るレーザー墨出し器およびその回転微調整機構の実施例によれば、調整部材のウォーム１４２とウォームホイル１５０を組み合わせて減速比を大きくし、調整部材の操作量に対してウォームホイル１５０の調整量を小さくして微小な調整を可能にした。これに加えて、ウォームホイル１５０に形成されている半径方向の溝１５１に、回転ベース１２０のピン１２２を嵌めることによって、ウォームホイル１５０の回転角度に対して回転ベース１２０の回転角度をさらに小さくし、調整部材の操作量に対して回転ベース１２０が極微少量ずつ回転するようにした。そのため、例えば、墨出し器の位置から１０ｍ以上離れた壁面においても、投光位置が微小量ずつ移動し、投光位置の微調整が容易である。また、上記の構成としたことによって、バックラッシュの影響を少なくすることができ、投光位置の微調整をスムーズに行うことができる。
【００３０】
回転ベース１２０は固定ベース１１０に対し付勢部材としてのばね１３０により一方向に付勢されているため、固定ベース１１０に対する回転ベース１２０のがたつき防止効果がある。上記ばね１３０は回転ベース１２０を固定ベース１１０に対して一方向に付勢するものであるが、微調整操作摘み１４０の回転に対する回転ベース１２０の回転は大きく減速され、回転ベース１２０はごく微小量ずつしか回転しないため、ばね１３０による一方向への付勢によって、微調整操作摘み１４０の一方向への回転操作が重くなることはない。
微調整操作摘み１４０の操作による微調整範囲を規制する回転範囲規制部材１６０を設けたため、微調整範囲を明確に知ることができる。
【図面の簡単な説明】
【００３１】
【図１】本発明に係るレーザー墨出し器の回転微調整機構の実施例を示す平面図である。
【図２】上記回転微調整機構を備えたレーザー墨出し器の実施例を概略的に示す縦断面図である。
【図３】従来のレーザー墨出し器の回転微調整機構の一例の要部を示す平面図である。
【図４】従来のレーザー墨出し器の回転微調整機構の別の一例の要部を示す平面図である。
【符号の説明】
【００３２】
９０    レーザー墨出し器本体
１１０    固定ベース
１１４    管軸
１１５    溝
１１９    突出体
１２０    回転ベース
１２２    ピン
１３０    引張りコイルばね
１４０    微調整摘み
１４１    軸
１４２    ウォーム
１５０    ウォームホイル
１５１    溝
１６０    回転範囲規制部材
【図１】
2008309724.tif 000003
【図２】
2008309724.tif 000004
【図３】
2008309724.tif 000005
【図４】
2008309724.tif 000006